(57)【要約】      （修正有）【課題】本体を形作る素材と払拭用素材の間に接着フィルムを介在させることなく、低コストで製造でき、また長期の使用にも耐え得る携行型クリーナーを提供する。【解決手段】本考案にかかる第一の携行型クリーナーは、複数本の極細糸を撚り合わせて染色した撚り糸が織成又は編成された生地(1)を、袋体(2)に形成していることを特徴とする。また、本考案にかかる第二の携行型クリーナーは、複数本の極細糸を撚り合わせて染色した撚り糸が織成又は編成された生地(1)の複数枚(1a,1b)を、輪郭に沿って接合したことを特徴とする。本考案にかかる第二の携行型クリーナーは、該複数枚の生地の間に弾性材が充填されているものであってもよく、或いは、該極細糸が熱溶融性を有し、該複数枚の生地が溶着されているものであってもよい。【選択図】図２
0003118638.tif 000002
【実用新案登録請求の範囲】
【請求項１】
複数本の極細糸を撚り合わせて染色した撚り糸が織成又は編成された生地(1)を、袋体(2)に形成していることを特徴とする携行型クリーナー。
【請求項２】
複数本の極細糸を撚り合わせて染色した撚り糸が織成又は編成された生地(1)の複数枚(1a,1b)を、輪郭に沿って接合したことを特徴とする携行型クリーナー。
【請求項３】
該複数枚の生地(1a,1b)の間に弾性材(10)が充填されている請求項２に記載の携行型クリーナー。
【請求項４】
該極細糸は熱溶融性を有し、該複数枚の生地(1a,1b)は、溶着されている請求項２又は３に記載の携行型クリーナー。
【考案の詳細な説明】
【技術分野】
【０００１】
本考案はモバイル機器、特に携帯電話、のディスプレーの汚れを取り除くのに適した携行型クリーナーに関する。
【背景技術】
【０００２】
モバイル機器の携行型クリーナーとして、実用新案登録第３０９８８９４号に、レピア織機等の織機によって、ポリエステルを素材として織り、織りの段階で、袋織りされた袋本体を設け、該袋本体の片面に接着フィルムを貼着した後、極細繊維で織り上げた拭き布を貼着し、この拭き布と張り合わせた袋本体を、レーザーカット機にて、所望の形状にカットし、前記袋織りされた袋本体内にポリウレタンを素材とした充填材を充填した簡易ワイピング具が開示されている。
【特許文献１】実用新案登録第３０９８８９４号
【考案の開示】
【考案が解決しようとする課題】
【０００３】
前掲の実用新案登録第３０９８８９４号では、簡易ワイピング具を形作る布は太い糸で織られていため滑らかさに欠け、ディスプレーの払拭には不向きであった。そのため、袋織りされた袋本体の片面に接着フィルムを貼着し、この接着フィルムの表面に極細繊維で織り上げた拭き布を貼着して、ディスプレーの払拭に適合させる必要があった。
【０００４】
しかしながら、このように接着フィルムを介在させることは、作業性もさることながら、コスト高となって、広く需要を喚起するにはいささか問題を残している。その上、洗濯を繰り返すと剥離したりして、長期の使用には耐えられないという問題もあった。
【０００５】
そこで、本考案は、本体を形作る素材と払拭用素材の間に接着フィルムを介在させることなく、低コストで製造でき、また長期の使用にも耐え得る携行型クリーナーを提供することを目的とする。
【課題を解決するための手段】
【０００６】
本考案に係る第一の携行型クリーナーは、複数本の極細糸を撚り合わせて染色した撚り糸が織成又は編成された生地を、袋体に形成したものである。
【０００７】
本考案に係る第二の携行型クリーナーは、複数本の極細糸を撚り合わせて染色した撚り糸が織成又は編成された生地の複数枚を、輪郭に沿って接合したものである。なお、生地の接合形式に制限はなく、熱溶着、逢着、その他の形式であってもよい。
【０００８】
第二の携行型クリーナーにおいて、該複数枚の生地の間に弾性材が充填されていてもよい。
【０００９】
第二の携行型クリーナーにおいて、該極細糸は熱溶融性を有し、該複数枚の生地は、溶着されていてもよい。
【考案の効果】
【００１０】
本考案によれば、複数本の極細糸を撚り合わせた撚り糸が織成又は編成された生地から形成されたクリーナー本体（袋体或いは複数枚の生地を接合したもの、以下同じ）が滑らかさを持つため、クリーナー本体そのものを払拭に利用することができる。一方、従来、極細繊維が織成又は編成された生地は編織してから染め上げられたものでありその製品のデザインに制限があったが、染色した撚り糸を織成又は編成した生地のデザインには従来のような制限はないため、そのような生地でクリーナー本体を形成することで、所望のデザインの製品とすることができる。そのため、太い糸で織られた生地を利用した場合の利点である製品デザインの選択の余地を損なうことなく、本体を形作る素材と払拭用素材の間に接着フィルムを介在させずに、低コストで製造でき、また長期の使用にも耐え得るものにすることが可能となる。
なお、染色した撚り糸を織成又は編成した生地として、本出願人の取扱いでエスフィーヴと称する製品が特に好適である。
【００１１】
第二の携行型クリーナーにおいて、複数枚の生地を接合する際それらを重合状態とするにあたり、袋織り又は袋編みの何れか一方による一枚の筒状とされたものを型抜きしてもよい。この場合、一枚の筒状生地を扁平にするだけで重合状態を現出でき、別々の生地を重ね合わせる手間が省け、更なるコスト低減を図ることができる。一方、独立した複数枚の生地を重ね合わせて型抜きしてもよく、この場合、各別に編成又は織成された複数枚の生地を採用でき、生地の選択により、種々の用途に適したクリーナーを提供できる。
【００１２】
複数枚の生地の間に弾性材が充填されていれば、生地の外面を払拭対象面に密着させ、効率よく払拭できる。
【００１３】
極細糸に熱溶融性を有するものを採用し、複数枚の生地を溶着することとすれば、レーザーカットを利用して裁断と同時に接合できる。
【考案を実施するための最良の形態】
【００１４】
図１は本考案にかかる第一の携行型クリーナーの具体例を示す一部切欠正面図である。
携行型クリーナーは、袋体２の内部に携帯電話４を収容した状態で袋体２の外側から携帯電話４を軽く掴み、携帯電話４の表面を滑らすように袋体２の生地１を往復移動させることにより、携帯電話４のディスプレイ５の汚れを払拭するものである。そして、袋体２は、複数本の極細糸を撚り合わせて染色した撚り糸が織成又は編成された生地エスフィーヴ（製品名、株式会社タケダヤ）で形成されている。
なお、袋体２の開口はストラップ６により開閉自在とされているため、払拭の必要がない場合には、携帯電話４を収容したまま携行する袋としても使用できるようになっている。また、携帯電話４を収容していなければ、袋体２の外面を払拭に利用することができる。
【００１５】
この携行型クリーナーは、複数本の極細糸を撚り合わせた撚り糸が織成又は編成された生地から形成された袋体２が滑らかさを持つため、袋体２自体を払拭に利用することができる。また、複数本の極細糸を撚り合わせて染色した撚り糸を織成又は編成した生地１のデザインには、従来の極細繊維が織成又は編成された生地のような制限はないため、所望のデザインの製品とすることができる。そのため、太い糸で織られた生地を利用した場合の利点である製品デザインの選択の余地を損なうことなく、本体を形作る素材と払拭用素材の間に接着フィルムを介在させずに、低コストで製造でき、また長期の使用にも耐え得るものにすることが可能となる。
【００１６】
図２は本考案にかかる第二の携行型クリーナーの具体例を示す一部切欠斜面図、図３は同携行型クリーナーにストラップを取り付けた状態を示す一部切欠斜面図である。なお、図２及び図３において、図１の具体例と実質的に同じ部分には同符号を付すものとする。
【００１７】
この携行型クリーナーは、払拭の対象となるモバイル機器よりも小さく、モバイル機器に取り付けて使用するもので、その本体３は、袋織りによる一枚の筒状となった生地１を型抜きして得られた２枚の重合する生地１ａ、１ｂを、輪郭７に沿って接合したものである。なお、本体３の外面には、柄１１が現れている。また、本体３には孔９が貫設され、ストラップ６の一端部がリング８を介して取り付けられており、このストラップ６によりモバイル機器に取り付けることができるようになっている。
【００１８】
この携行型クリーナーも、図１に示す携行型クリーナーと同様、本体３が滑らかさを持つため、本体３自体を払拭に利用することができる。また、複数本の極細糸を撚り合わせて染色した撚り糸を織成又は編成した生地を使用するため、柄１１を表示する等、所望のデザインの製品とすることができる。なお、柄１１は極細糸で現出しているので柄部分そのものも払拭に適用できる。
【００１９】
また、一枚の筒状生地１を扁平にするだけで重合状態を現出でき、別々の生地を重ね合わせる手間が省け、更なるコスト低減を図ることができる。なお、生地１は、袋編みにより筒状としても同様の効果を得ることができる。
【００２０】
複数枚の生地１ａ、１ｂの間にには、弾性材１０が充填されている。
こうすると、生地１ａ、１ｂの外面を払拭対象面に密着させ、効率よく払拭できる。
なお、弾性材１０には発泡スチロール、各種の繊維、その他弾性変形するものなら適当なものを採用できる。
【００２１】
生地１の織成又は編成に使用される撚り糸を構成する極細糸は熱溶融性を持つもので、生地１ａ、１ｂはレーザーカットにより裁断され、溶着されたものとなっている。
こうすると、複数枚の生地１ａ、１ｂを、裁断と同時に接合できる。
【００２２】
図４は本考案にかかる第二の携行型クリーナーの他の具体例を示す一部切欠斜面図である。なお、図４において、図１、図２及び図３の具体例と実質的に同じ部分には同符号を付すものとする。
この携行型クリーナーは、図２及び図３に示す携行型クリーナーと同じ型式のもの、すなわち、本体３が払拭の対象となるモバイル機器よりも小さく、モバイル機器に取り付けて使用するものである。ただし、本体３を形成する２枚の生地１ａ、１ｂは、独立した複数枚の生地１、１を重ね合わせて型抜きして得られたものとなっている点で相違する。そのため、各別に編成又は織成された複数枚の生地１、１を採用でき、生地１、１の選択により、種々の用途に適合させることができる。
【図面の簡単な説明】
【００２３】
【図１】本考案にかかる第一の携行型クリーナーの具体例を示す一部切欠正面図である。
【図２】本考案にかかる第二の携行型クリーナーの具体例を示す一部切欠斜面図
【図３】同携行型クリーナーにストラップを取り付けた状態を示す一部切欠斜面図である。
【図４】本考案にかかる第二の携行型クリーナーの他の具体例を示す一部切欠斜面図である。
【符号の説明】
【００２４】
１、１ａ、１ｂ  生地
２    袋体
３    本体
４    携帯電話
５    ディスプレー
６    ストラップ
７    輪郭
８    リング
９    孔
１０  弾性材
１１  柄
【図１】
0003118638.tif 000003
【図２】
0003118638.tif 000004
【図３】
0003118638.tif 000005
【図４】
0003118638.tif 000006